(57)【要約】【課題】  複数箇所の異常が発生した場合に異常修復の順序を告知することで異常を効率よく修復できるようにすることにある。【課題を解決するための手段】  この複写機１は、複数の機能部を有し、用紙に画像を形成するための装置であって、センサ１８と、異常報知用ＬＥＤ１０とを有する。センサ１８は、複写機１の機能部の紙詰まりを検知する。ＬＥＤ１０は、センサ１８によって紙詰まりが検知された場合に、紙詰まりが発生した機能部を報知し、複数の機能部で紙詰まりが発生している場合には、紙詰まりの修復に適した順序を報知する。【選択図】      図７
2007065395.tif 000002
【特許請求の範囲】
【請求項１】
複数の機能部を有し、用紙に画像を形成するための画像形成装置であって、
前記画像形成装置の前記機能部の異常を検知する異常検知手段と、
前記異常検知手段によって異常を検知した場合に、異常が発生した前記機能部を報知し、複数の前記機能部に異常が発生している場合には、異常の修復に適した順序を報知する報知手段とを備えた、
画像形成装置。
【請求項２】
前記報知手段は、それぞれの前記機能部に対応した位置に設けられた異常報知用発光部を有しており、複数の前記機能部に異常が発生している場合に、異常が発生した前記機能部に対応した位置に設けられた異常報知用発光部を点灯して報知するとともに、複数箇所で異常が発生したときには、優先して異常を修復すべき前記機能部に対応した位置に配置された前記異常報知用発光部の点灯形態を変更する、
請求項１に記載の画像形成装置
【請求項３】
前記報知手段は、複数の前記機能部に異常が発生した場合に、優先して修復すべき前記機能部に対応した位置に配置された前記異常報知用発光部を点滅させる、請求項２に記載の画像形成装置。
【請求項４】
前記異常報知用発光部はＬＥＤである、請求項２または３に記載の画像形成装置。
【請求項５】
前記報知手段は、前記異常報知用発光部に隣接して設けられた修復完了報知発光部をさらに有し、異常が修復された場合に、前記異常報知用発光部を消灯し、前記修復完了報知発光部を点灯させる、請求項２から４のいずれかに記載の画像形成装置。
【請求項６】
前記異常検知手段によって検知される異常は紙詰まりである、請求項１から５のいずれかに記載の画像形成装置。
【発明の詳細な説明】
【技術分野】
【０００１】
本発明は、画像形成装置、特に、紙詰まりが発生した場合に操作者に紙詰まりが発生した場所を知らせる手段を有する画像形成装置に関する。
【背景技術】
【０００２】
コピー機などの画像形成装置は、給紙部、用紙搬送部、定着部、排出部等の複数の機能部を有している。このような画像形成装置では、印字動作の際に機能部で紙詰まりなどの異常が発生する場合がある。そこで、このような異常が発生した場合に、操作者が異常を容易に修復できるよう異常が発生した場所を知らせる画像形成装置がある（特許文献１参照）。この画像形成装置では、画像形成装置の外枠の各機能部に対応する位置にＬＥＤが配置されており、異常発生の際にはこのＬＥＤが点灯することで操作者に異常が発生していることを知らせる。
【特許文献１】特開２００３−２９５５４６号公報
【発明の開示】
【発明が解決しようとする課題】
【０００３】
特許文献１の画像形成装置では、複数の箇所で異常が発生した場合に、異常発生箇所に対応する複数のＬＥＤが点灯する。複数の異常発生箇所を修復するためには適切な順序で修復しなければ効率よく修復することができない。しかし、操作者には適切な順序がわからないために異常修復を効率よく行うことは困難である。
【０００４】
本発明の課題は、複数箇所の異常が発生した場合に異常修復の順序を告知することで異常を効率よく修復できるようにすることにある。
【課題を解決するための手段】
【０００５】
請求項１に係る画像形成装置は、複数の機能部を有し、用紙に画像を形成するための画像形成装置であって、異常検知手段と、報知手段とを有する。異常検知手段は、画像形成装置の機能部の異常を検知する。報知手段は、異常検知手段によって異常を検知した場合に、異常が発生した機能部を報知し、複数の機能部に異常が発生している場合には、異常の修復に適した順序を報知する。
【０００６】
この画像形成装置では、用紙が複数の機能部を通過して画像形成が行われる。機能部で異常が発生した場合には異常検知手段によって異常を検知し、報知手段は異常検知手段によって異常を検知した場合に異常が発生した機能部を報知する。このとき、複数の機能部に異常が発生している場合には、異常修復に適切な順序も報知される。
【０００７】
ここでは、複数の機能部に異常が発生している場合に異常修復に適切な順序を報知することで、複数箇所の異常を効率よく修復できるようになる。
【０００８】
請求項２に係る画像形成装置は、請求項１に記載の画像形成装置であって、それぞれの機能部に対応した位置に異常報知用発光部を有しており、報知手段は、複数の機能部に異常が発生している場合に、異常が発生した機能部に対応した位置に設けられた異常報知用発光部を点灯して報知するとともに、複数箇所で異常が発生したときには、優先して異常を修復すべき機能部に対応した位置に配置された異常報知用発光部の点灯形態を変更する。
【０００９】
ここでは、操作者は、異常報知用発光部の点灯により異常発生箇所を認知することができ、複数の機能部で異常が発生している場合には、異常の修復を優先する異常報知用発光部の発光形態が変化することで異常修復に適切な順序を認知できる。これにより、操作者は適切な順序で、異常を修復するために複数箇所の異常を効率よく修復できるようになる。
【００１０】
請求項３に係る画像形成装置は、請求項１または２に記載の画像形成装置であって、報知手段は、複数の機能部に異常が発生した場合に、優先して修復すべき機能部に対応した位置に配置された異常報知用発光部を点滅させる。
ここでは、複数箇所の異常の修復を行う際に優先して修復する場所がわかりやすくなる。
【００１１】
請求項４に係る画像形成装置は、請求項２または３に記載の画像形成装置であって、異常報知用発光部はＬＥＤである。
ここでは、操作者に異常報知用発光部が点灯しているのがわかりやすくなる。
【００１２】
請求項５に係る画像形成装置は、請求項２から４のいずれかに記載の画像形成装置であって、異常報知用発光部に隣接して設けられた修復完了報知発光部をさらに有し、異常が修復された場合に、異常報知用発光部を消灯し、修復完了報知発光部を点灯させる。
ここでは、操作者は修復完了を認知することができる。
【００１３】
請求項６に係る画像形成装置は、請求項１から５のいずれかに記載の画像形成装置であって、異常検知手段によって検知される異常は紙詰まりである。
ここでは、操作者は紙詰まりが発生したことを認知できる。
【発明の効果】
【００１４】
本発明によれば、複数箇所の異常が発生した場合に異常を効率よく修復できるようになる。
【発明を実施するための最良の形態】
【００１５】
［構成］
図１は本発明の一実施形態が採用された画像形成装置である複写機１の外観を示した図である。複写機１は、図２及び図６に示すように、データ読み取り部２と、画像形成するための画像形成部３と、画像形成部３で形成されたトナー像を用紙に定着するための定着部４と、画像形成部３と定着部４に用紙を搬送する用紙搬送部５と、用紙搬送部５に向けて用紙を給紙する給紙部６と、用紙搬送ユニット２０と、トナー像が定着された用紙を排出する排出部８と、異常報知用ＬＥＤ１０及び修復完了報知用ＬＥＤ１１と、センサ１８と、制御部１７と、これらが内側に配置される外枠７とを有する。ここで、紙詰まりを起こす可能性のある機能部として、給紙部６、定着部４、用紙搬送部５、用紙搬送ユニット２０、排出部８が挙げられる。
【００１６】
データ読みとり部２は、原稿の画像データを読みとるための部分であって、画像形成部３の上側に配置されている。
【００１７】
画像形成部３は、原稿の画像データに基づいて画像形成を行うための部分であって、現像器や、現像器によって表面にトナー像が形成される感光体ドラムなどから構成されている。また、画像形成部３は、複写機１の中心部に配置されている。
【００１８】
定着部４は、画像形成部３で用紙に形成されたトナー像を用紙に定着するための部分であって、加熱ローラや加圧ローラを有している。また、定着部４は、画像形成部３の排出部８側に配置されている。
【００１９】
用紙搬送部５は、給紙部６及び用紙搬送ユニット２０からの用紙を画像形成部３に向けて搬送するためのものである。
【００２０】
給紙部６は、画像形成を行うための用紙を給紙する部分であって、複写機１の底部に設けられている。給紙部６は、上下方向に複数段重ねられた給紙カセットと、給紙カセット内の用紙を１枚ずつ給紙するための給紙ローラとを有する。
【００２１】
用紙搬送ユニット２０は、最上段の給紙カセット内の用紙を給紙するためのもであり、給紙部６と画像形成部３との上下方向間に配置されている。用紙搬送ユニット２０は、図４及び図５に示すように、上部に開閉自在に設けられたカバー２５を有しており、カバー２５を開いた状態で上面に露出する異常報知用ＬＥＤ１０ｅと修復完了報知ＬＥＤ１１ｅとを有している。
【００２２】
排出部８は複写機１の外枠７に近接して配置されている。排出部８は、ジャム処理用レバー１９（図３参照）と排出トレイ２４とを有している。ジャム処理用レバー１９は、排出部８で紙詰まりが発生した際にジャム処理をするための操作部材である。
【００２３】
なお、排出部８と定着部４と用紙搬送部５の一部とは一体ユニット１５を構成しており、複写機１手前側に一体として引き出すことができる。
【００２４】
複写機１の外枠７は、複写機１の手前側（図２において紙面手前側）に設けられた第１カバー２１と、第１カバー２１の上下方向上側に配置された前カバー２２と、複写機１の右側面に配置された右カバー２３とを含んでいる。
【００２５】
ＬＥＤ１０は、図１に示すように、各機能部の位置に対応する位置に異常報知用発光部としての異常報知用ＬＥＤ１０（図１〜図５に示す１０ａ，１０ｂ、１０ｃ，１０ｄ，１０ｅを含む）と、修復完了報知発光部としての修復完了報知ＬＥＤ１１（図１〜図５に示す１１ａ，１１ｂ，１１ｃ，１１ｄ，１１ｅを含む）とが並んで配置されている。たとえば、用紙搬送部５に対応して右カバー２３にＬＥＤ１０ｂ，１１ｂが配置され、排出部８に対応して前カバー２２にＬＥＤ１０ａ，１１ａが配置されている。また、図３に示すように、一体ユニット１５に排出部８及び定着部４に対応してＬＥＤ１０ｃ，１１ｃが配置され、用紙搬送ユニット２０に、図４に示すようにＬＥＤ１０ｄ，１１ｄが配置され、図５に示すようにＬＥＤ１０ｅ、１１ｅが配置されている。いずれかの機能部で紙詰まりが発生すると、その機能部の位置に対応する位置の異常報知用ＬＥＤ１０が点灯する。そして、異常報知用ＬＥＤ１０が点灯した場所に対応する機能部での紙詰まりが修復されると、その異常報知用ＬＥＤ１０は消灯し、これに隣接する修復完了報知ＬＥＤ１１が一定時間点灯する。さらに、複数箇所で紙詰まりが発生した場合には、優先して紙詰まりを修復すべき場所の異常報知用ＬＥＤ１０が点滅する。
【００２６】
センサ１８は、各機能部での紙詰まりを検知するためのものであって、排出部８、給紙部６、用紙搬送部５、用紙搬送ユニット２０、定着部４の近傍に設けられている。
【００２７】
制御部１７は、図６に示すように、排出部８、給紙部６、用紙搬送部５、定着部４等に接続され、これらの動作を制御するとともに、各機能部の近傍に設けられたセンサ１８によって紙詰まりが検知された場合に、紙詰まりが生じた機能部に対応するＬＥＤ１０，１１の点灯、点滅等の発行態様を制御する。また、制御部１７は、複数の紙詰まりが発生した場合に、修復するのに適切な順序にしたがって、優先して紙詰まりを修復すべき異常報知用ＬＥＤ１０を点滅させる。
【００２８】
複写機１は、他の入出力部として、印字を指示するためのスタートボタンを有する操作パネル２６、原稿を原稿台２７に向けて１枚ずつ搬送するための自動原稿給紙装置２８等を有している。
【００２９】
［動作・効果］
図７に基づいて、複写機１で画像形成する場合の動作について説明する。
【００３０】
操作者が印字スタートボタンを押すと（Ｓ１）、原稿台２７上の原稿の画像データがデータ読みとり部２で読みとられ、その画像データが制御部１７を介して画像形成部３に送られる。このとき、給紙部６から用紙が用紙搬送部５に給紙され、用紙搬送部５によって画像形成部３に搬送される。画像形成部３では、搬送された用紙に画像形成が行われる。画像が形成された用紙は、用紙搬送部５によって定着部４に搬送され、用紙に形成されたトナー像が定着される。その後、排出部８から用紙が排出される。この一連の画像形成動作において紙詰まりをセンサ１８によって紙詰まりが検知されると（Ｓ２）、印字動作が中断される（Ｓ３）。そして、紙詰まりが１箇所のみで発生した場合には（Ｓ４のＮＯ）、紙詰まりが生じた場所に対応する複写機１の部分に配置された異常報知用ＬＥＤ１０が点灯する（Ｓ７）。そして、操作者によってこの紙詰まりが修復されると（Ｓ８）、異常報知用ＬＥＤ１０は消灯して修復完了報知ＬＥＤ１１が点灯する（Ｓ９）。その後、印字動作が再開されて（Ｓ１０）用紙に印字される（Ｓ１１）。
【００３１】
一方、ステップＳ４で、複数箇所で紙詰まりが検知されると、紙詰まりが発生した機能部に対応した複写機１の位置に配置された異常報知用ＬＥＤ１０が点灯するとともに、異常修復のために優先して修復すべき場所の異常報知用ＬＥＤ１０が点滅する（Ｓ５）。そして、点滅している異常報知用ＬＥＤ１０に対応する位置に配置された機能部の紙詰まりが操作者によって修復されると（Ｓ６）、異常報知用ＬＥＤ１０が消灯し、修復完了報知ＬＥＤが点灯する（Ｓ１２）。さらに、次に優先して修復すべき機能部に対応する異常報知用ＬＥＤ１０が点滅する（Ｓ５）。このようにして、点滅する異常報知用ＬＥＤ１０に対応する位置の機能部での紙詰まりを修復していくことで、操作者は、適切な順番で複数箇所の紙詰まりを修復できる。
【００３２】
以下、具体例を挙げて複数箇所の異常を修復する動作について説明する。
【００３３】
図２に示すように、一体ユニット１５内であるが定着部４から排出部８にかけての紙詰まりＡと、用紙搬送ユニット２０から画像形成部３にかけての紙詰まりであって一体ユニット１５外に用紙の一部がはみ出た紙詰まりＢと、用紙搬送ユニット２０内の紙詰まりＣとが同時に発生した場合には、外枠７においてＬＥＤ１０ａ，１０ｂが点灯するとともに、外枠７の内側においてＬＥＤ１０ｃ〜１０ｅが点灯する。このとき、ＬＥＤ１０ａが配置された前カバー２２を開けて一体ユニット１５を複写機１手前側（図４及び図５において矢印Ａ方向）に引き出すと、紙詰まりＢの部分の用紙が破損する可能性があるために、先に異常報知用ＬＥＤ１０ｂが点滅する。
【００３４】
次いで、異常報知用ＬＥＤ１０ｂが配置された右カバー２３を開けて、詰まった用紙を取り除くことで紙詰まりＢを修復すると、異常報知用ＬＥＤ１０ｂは消え、修復完了報知ＬＥＤ１１ｂが点灯する。すると、次に異常報知用ＬＥＤ１０ａが点滅する。右カバー２３を閉めて異常報知用ＬＥＤ１０ａが配置された前カバー２２を開けると、異常報知用ＬＥＤ１０ａは消え、一体ユニット１５の近傍に配置された異常報知用ＬＥＤ１０ｃ（図３参照）が点滅する。図３に示すように、異常報知用ＬＥＤ１０ｃが配置された一体ユニット１５を一体として複写機１手前側に引き出してジャム処理用レバー１９を回して紙詰まりを処理する。すると、異常報知用ＬＥＤ１０ｃが消えて修復完了報知ＬＥＤ１１ｃが点灯する。次いで異常報知用ＬＥＤ１０ｃが配置された一体ユニット１５を元に戻して、用紙搬送ユニット２０を引き出し、図５に示すようにカバー２５を開いて紙詰まりＣを修復すると、異常報知用ＬＥＤ１０ｄ，１０ｅが消灯し修復完了報知ＬＥＤ１１ｄ，１１ｅが点灯する。その後、カバー２５を閉じて用紙搬送ユニット２０を元に戻すと、ジャム処理が完了する。前カバー２２を第１カバー２１と共に閉じると、修復完了報知ＬＥＤ１１ａが点灯する。
【００３５】
ここでは、紙詰まりを修復するための適切な順番を操作者が知ることができるので複数箇所での紙詰まりを効率よく修復しやすくなる。
【００３６】
［他の実施形態］
上記実施形態では、センサ１８は、排出部８や給紙部６や用紙搬送部５等の近傍にのみでなく他の機能部に設けても良い。
【００３７】
また、異常報知用ＬＥＤ１０及び修復完了報知ＬＥＤ１１の場所は、上記実施形態で説明した場所に限られない。
【００３８】
さらに、上記実施形態では異常報知用ＬＥＤと修復完了報知ＬＥＤとを並べて配置したが、一つのＬＥＤを用いて点滅、消灯、点灯などによって紙詰まり発生の報知や修復完了報知を行っても良い。さらに一つのＬＥＤで２色以上の点灯を行っても良い。
【図面の簡単な説明】
【００３９】
【図１】本発明の一実施形態を採用した複写機１の外観図。
【図２】本発明の一実施形態を採用した複写機１の断面図。
【図３】紙詰まりを処理する際に、ユニットとして一部を引き出した際の図。
【図４】用紙搬送ユニット２０を引き出した際の図。
【図５】用紙搬送ユニット２０のカバー２５を開いたときの図。
【図６】複写機１のブロック図。
【図７】複写機１の動作を説明するためのフローチャート。
【符号の説明】
【００４０】
１  複写機
２  データ読みとり部
３  画像形成部
４  定着部
５  用紙搬送部
６  給紙部
７  複写機１の外枠
８  排出部
１０  異常報知用ＬＥＤ
１１  修復完了報知ＬＥＤ
１８  センサ
【図１】
2007065395.tif 000003
【図２】
2007065395.tif 000004
【図３】
2007065395.tif 000005
【図４】
2007065395.tif 000006
【図５】
2007065395.tif 000007
【図６】
2007065395.tif 000008
【図７】
2007065395.tif 000009